(57)【要約】【課題】印刷物に切り取りマークを形成する場合に、画像のサイズや印画紙のサイズや画像のレイアウトに影響されにくい印刷装置を提供する。【解決手段】印画紙に画像を印刷する印刷部と、印刷部により、印画紙に、所定のレイアウトで複数の画像を印刷させるとともに、印画紙から複数の画像を切り取る補助となるマークである切り取りマークを形成させる印刷制御部と、を備え、印刷制御部は、印画紙に切り取りマークを印刷する余白がある場合と、切り取りマークを印刷する余白がない場合とで、切り取りマークの形成方法を変更する。【選択図】  図２
2020032577.tif 000002
【特許請求の範囲】
【請求項１】
印画紙に画像を印刷する印刷手段と、
前記印刷手段により、前記印画紙に、所定のレイアウトで複数の画像を印刷させるとともに、前記印画紙から前記複数の画像を切り取る補助となるマークである切り取りマークを形成させる印刷制御手段と、を備え、
前記印刷制御手段は、前記印画紙に前記切り取りマークを印刷する余白がある場合と、前記切り取りマークを印刷する余白がない場合とで、前記切り取りマークの形成方法を変更することを特徴とする印刷装置。
【請求項２】
前記印刷制御手段は、前記印画紙のサイズと前記複数の画像のサイズと前記レイアウトとに基づいて、前記印画紙に前記切り取りマークを印刷する余白があるか否かを判断することを特徴とする請求項１に記載の印刷装置。
【請求項３】
前記印刷制御手段は、前記印画紙に切り取りマークを印刷する余白がある場合に、該余白に、前記切り取りマークを印刷することを特徴とする請求項１または２に記載の印刷装置。
【請求項４】
前記印刷制御手段は、前記切り取りマークを、前記画像の領域外に印刷することを特徴とする請求項３に記載の印刷装置。
【請求項５】
前記印刷手段は、印画紙に色インクで画像の印刷を行った後、前記画像が印刷された前記印画紙にオーバーコートを転写し、
前記印刷制御手段は、前記印画紙に前記切り取りマークを印刷する余白がある場合には前記色インクで前記切り取りマークを形成し、前記切り取りマークを印刷する余白がない場合には前記オーバーコートで前記切り取りマークを形成するように制御することを特徴とする請求項１または２に記載の印刷装置。
【請求項６】
前記印刷制御手段は、前記印画紙に切り取りマークを印刷する余白がない場合に、前記印画紙の領域ごとに、前記画像上に形成するオーバーコートのパターンを変更することにより、前記切り取りマークを形成することを特徴とする請求項５に記載の印刷装置。
【請求項７】
前記印刷制御手段は、前記印画紙の領域ごとに、前記画像上に形成するオーバーコートのパターンとしての階調を変更することを特徴とする請求項６に記載の印刷装置。
【請求項８】
前記印刷制御手段は、前記切り取りマークに対応する領域のオーバーコートの階調と、前記画像と重なる領域のオーバーコートの階調を異ならせることを特徴とする請求項７に記載の印刷装置。
【請求項９】
前記印刷制御手段は、前記複数の画像のうちの互いに隣接する画像に重なるオーバーコートの階調を異ならせることを特徴とする請求項７に記載の印刷装置。
【請求項１０】
前記印刷制御手段は、前記印画紙に切り取りマークを印刷する余白がない場合に、前記印画紙のタブ領域に、前記切り取りマークを印刷することを特徴とする請求項１または２に記載の印刷装置。
【請求項１１】
前記印刷制御手段は、前記印画紙のタブ領域のみに、前記切り取りマークを印刷することを特徴とする請求項１０に記載の印刷装置。
【請求項１２】
前記印刷制御手段は、前記複数の画像の上方向が前記印画紙の片方のタブ領域の方向に向くように前記複数の画像をレイアウトし、前記画像の上方向に隙間があかないように詰めて前記複数の画像を配置することを特徴とする請求項１０または１１に記載の印刷装置。
【請求項１３】
前記制御手段は、前記複数の画像をレイアウトしたときに、長辺方向に隙間がある場合は、前記印画紙の片方の長辺方向に画像を詰めて配置し、前記印画紙のタブ領域に複数の前記切り取りマークを印刷することを特徴とする請求項１０乃至１２のいずれか１項に記載の印刷装置。
【請求項１４】
前記制御手段は、前記複数の画像の背景が同じ色の場合のみ、前記切り取りマークを印刷することを特徴とする請求項１０乃至１３のいずれか１項に記載の印刷装置。
【請求項１５】
印画紙に画像を印刷する印刷手段を備える印刷装置を制御する方法であって、
前記印刷手段により、前記印画紙に、所定のレイアウトで複数の画像を印刷させるとともに、前記印画紙から前記複数の画像を切り取る補助となるマークである切り取りマークを形成させる印刷制御工程を有し、
前記印刷制御工程では、前記印画紙に前記切り取りマークを印刷する余白がある場合と、前記切り取りマークを印刷する余白がない場合とで、前記切り取りマークの形成方法を変更することを特徴とする印刷装置の制御方法。
【請求項１６】
請求項１５に記載の制御方法をコンピュータに実行させるためのプログラム。
【請求項１７】
請求項１５に記載の制御方法をコンピュータに実行させるためのプログラムを記憶したコンピュータが読み取り可能な記憶媒体。
【発明の詳細な説明】
【技術分野】
【０００１】
本発明は、印画紙に切り取りマークを印刷する機能を有する印刷装置及びその制御方法に関する。
【背景技術】
【０００２】
一枚の印画紙に複数の印刷対象画像を印刷し、印刷後に切り取って使用するという利用法があり、そのような利用法のために、切り取りの目安となる切り取りマークを同時に印刷することが従来より行われている。
【０００３】
特許文献１には、同じ人物を撮影した４つの人物画像を切り取りマーク入りで印刷する証明写真印刷装置が記載されている。
【０００４】
特許文献２には、証明写真の切り取りマーク（切り取り基準線）として、オーバーコートの非転写領域を設ける印刷装置が記載されている。
【０００５】
特許文献３には、証明写真の用紙の画像周りの余白部分の用紙端に切り取りマークを印刷する証明写真印刷装置が記載されている。
【先行技術文献】
【特許文献】
【０００６】
【特許文献１】特開平９−２７８９７号公報
【特許文献２】特開２０１２−２３２５３０号公報
【特許文献３】特開２０００−２５８８４９号公報
【発明の概要】
【発明が解決しようとする課題】
【０００７】
しかしながら、特許文献１に開示された従来技術では、印刷対象画像（人物画像）に対して切り取りマークの位置を決定しており、印画紙の大きさは特に考慮されていない。これは、特許文献１においては、印刷対象画像のサイズも印画紙のサイズも一定だからである。
【０００８】
一方、一般的な写真印刷を考慮すると、印刷対象画像のサイズは一定ではなく、また、印画紙のサイズも一定ではない環境がある。そのような環境において、特許文献１に記載の技術を導入すると、切り取りマークが印画紙の外にはみ出してしまったり、隣接する印刷対象画像に重なってしまったりする可能性がある。これを回避するには、一枚の印画紙に印刷する印刷対象画像を減らして、切り取りマークを印刷する領域を確保する必要があり、生産性が低下する。
【０００９】
また、特許文献２に開示された従来技術では、印刷対象画像（証明写真）に対してオーバーコートの非転写領域を設ける方法で切り取りマークを印刷しており、切り取りマークの視認性は特に考慮されていない。オーバーコートの非転写領域を設ける方法で転写された切り取りマークは、印刷物を斜めに傾けないと視認できず、通常の方法で印刷された切り取りマークよりも視認性が低下する。
【００１０】
また、特許文献３に開示された従来技術は、裁断器やカッターで証明写真をカットする場合には有効であるが、印画紙に余白部分がないようなレイアウトの場合は切り取りマークを印刷することができない。この場合、余白部分を設けるようなレイアウトを選択すると、印刷対象画像が減ってしまい、上述の特許文献１と同様に生産性が低下する。
【００１１】
本発明は上述した課題に鑑みてなされたものであり、その目的は、印刷物に切り取りマークを形成する場合に、画像のサイズや印画紙のサイズや画像のレイアウトに影響されにくい印刷装置を提供することである。
【課題を解決するための手段】
【００１２】
本発明に係わる印刷装置は、印画紙に画像を印刷する印刷手段と、前記印刷手段により、前記印画紙に、所定のレイアウトで複数の画像を印刷させるとともに、前記印画紙から前記複数の画像を切り取る補助となるマークである切り取りマークを形成させる印刷制御手段と、を備え、前記印刷制御手段は、前記印画紙に前記切り取りマークを印刷する余白がある場合と、前記切り取りマークを印刷する余白がない場合とで、前記切り取りマークの形成方法を変更することを特徴とする。
【発明の効果】
【００１３】
本発明によれば、印刷物に切り取りマークを形成する場合に、画像のサイズや印画紙のサイズや画像のレイアウトに影響されにくい印刷装置を提供することが可能となる。
【図面の簡単な説明】
【００１４】
【図１】本発明の第１の実施形態に係わる印刷装置の概略構成を示すブロック図。
【図２】第１の実施形態における印刷処理の動作フローチャート。
【図３】第１の実施形態における画像、画像サイズ、切り取りマークの有無の選択画面例を示す図。
【図４】第１の実施形態における画像の配置例を示す図。
【図５】第１の実施形態における切り取りマークの形成例を示す図。
【図６】第２の実施形態における印刷処理の動作フローチャート。
【図７】第２の実施形態における切り取りマークの形成例を示す図。
【発明を実施するための形態】
【００１５】
以下、本発明の実施形態について、添付図面を参照して詳細に説明する。
【００１６】
＜第１の実施形態＞
図１は、本発明の第１の実施形態に係わる印刷装置の概略構成を示すブロック図である。本実施形態の印刷装置は、例えば熱転写式の印刷装置である。
【００１７】
図１において、印刷装置１００は、ＣＰＵ１０１、内部記憶装置１０２、メモリ１０３、記憶媒体１０４、操作部１０５、表示部１０６、給紙部１０７および印画部１０８が、互いに内部バス１１０を介して接続されることにより構成されている。内部バス１１０に接続される各部は、内部バス１１０を介して互いにデータのやりとりを行うことができる。
【００１８】
内部記憶装置１０２には、ＣＰＵ１０１が動作するための各種プログラム等のデータが格納されている。ＣＰＵ１０１は、内部記憶装置１０２に格納されたプログラムに従い、メモリ１０３をワークメモリとして使用しながら、印刷装置１００の各部を制御する。記憶媒体１０４は、印刷すべき画像データ等を記憶している。記憶媒体１０４は、印刷装置１００に着脱可能であってもよい。
【００１９】
操作部１０５は、印刷装置１００に対するユーザの指示を受け付けるために用いられる。表示部１０６は、印刷すべき画像データの画像を表示し、また、対話的な操作のためのメニューなどを表示する。なお、表示部１０６に相当する手段を、印刷装置１００に外部接続する構成としてもよく、その場合、印刷装置１００は、外部表示手段の表示を制御する表示制御手段を備えればよい。
【００２０】
給紙部１０７は印画紙を収容しており、ＣＰＵ１０１の制御に基づき印画紙を印画部１０８に搬送する。印画部１０８は、ＣＰＵ１０１の制御に基づき、給紙部１０７から搬送された印画紙に指定の画像を印刷する。印画部１０８は、複数色の色インクにより印画紙に指定の画像を印画した後に、画像を印画した印画紙の上にオーバーコートを転写する。本実施形態の印画部１０８は、熱転写方式により不図示のインクカセットに収納された複数色のインクおよびオーバーコートを順次印画紙に転写して画像の印刷を実行するものとする。しかし、他の印刷方式により色インクによる画像の印刷と透明インクによるオーバーコートの印刷を行うようにしてもよい。
【００２１】
図２、図３、図４及び図５を参照して、印刷装置１００の印刷処理の動作について説明する。図２は、印刷装置１００の印刷処理の動作を示すフローチャートである。図３は、印刷装置１００の表示部１０６に表示される画面例を示す図である。図４は、印画紙に印刷される画像の配置例を示す図である。図５は、印画紙に印刷または形成される切り取りマークの例を示す図である。
【００２２】
まず、ステップＳ２０１において、ＣＰＵ１０１は、ユーザの指示または選択に基づき、記憶媒体１０４に格納された画像のうち、印刷すべき１つ以上の画像を決定する。図３（ａ）は、印刷すべき画像を選択する際の、表示部１０６の表示画面例を示している。
【００２３】
図３（ａ）に示す例では、表示部１０６は、記憶媒体１０４に格納された画像３０１を表示している。この場合、ユーザは、操作部１０５の操作により、記憶媒体１０４の別の画像を表示させることができる。ユーザは、画面上に表示される印刷ボタン３０２を、操作部１０５を介して操作することにより、表示中の画像の印刷（またはその前提としての選択）をＣＰＵ１０１に指示できる。図示していないが、この画面上で、印刷部数を指定し、複数枚の画像を印刷対象に選択または設定できるようにしてもよい。
【００２４】
ステップＳ２０２において、ＣＰＵ１０１は、ユーザの指示または選択に基づき、印刷すべき画像のサイズを決定する。図３（ｂ）は、印刷装置１００の証明写真の設定画面例を示している。
【００２５】
図３（ｂ）に示す例では、適用すべき証明写真の設定として長辺３０３、短辺３０４の寸法を設定することができる。長辺３０３の寸法として「５０ｍｍ」が、短辺３０４の寸法として「５０ｍｍ」が初期値として設定されている。ユーザは、操作部１０５を操作することにより、長辺３０３と短辺３０４の寸法を選択し、設定することができる。
【００２６】
ステップＳ２０３において、ＣＰＵ１０１は、給紙部１０７から印刷に実際に使用する印画紙のサイズ（印画紙サイズ）を取得する。給紙部１０７からサイズの異なる印画紙を給紙可能な場合、ＣＰＵ１０１は、表示部１０６に印画紙のサイズの候補を表示し、ユーザに選択させてもよい。印画紙のサイズの選択は、事前に実施しておいてもよいし、印刷の度に実施してもよい。
【００２７】
ステップＳ２０４において、ＣＰＵ１０１は、ステップＳ２０２において設定された画像のサイズとステップＳ２０３において取得した印画紙のサイズに基づいて、１枚の印画紙に配置可能な数の画像を所定のレイアウトで配置する。図４は、画像の配置例を示している。
【００２８】
図４（ａ）に示す例では、サイズが１５０ｍｍ×１００ｍｍの印画紙に、印刷すべきサイズが５０ｍｍ×５０ｍｍの画像を配置している。印画紙の長辺方向に３つの画像、短辺方向に２つの画像を配置することが可能であり、１枚の印画紙に６つの画像を配置可能である。
【００２９】
図４（ｂ）に示す例では、サイズが１２０ｍｍ×９０ｍｍの印画紙に、印刷すべきサイズが５０ｍｍ×５０ｍｍの画像を配置している。印画紙の長辺方向に２つの画像、短辺方向に１つの画像を配置することが可能であり、１枚の印画紙に２つの画像を配置可能である。
【００３０】
ステップＳ２０５において、ＣＰＵ１０１は、ユーザの指示または選択に基づき、切り取りマークを印刷するか否かを決定する。
【００３１】
図３（ｂ）は、証明写真の設定画面例を示している。図３（ｂ）に示す例では、ユーザは、選択された画像を切り取りマーク付きで印刷するか否かをＣＰＵ１０１に指示できる。この例では、切り取りマーク３０５として「あり」が初期値として設定されている。ユーザは、操作部１０５を操作することにより「なし」（切り取りマークを印刷しない）を設定できる。なお、切り取りマークとは、印刷された画像をユーザが切り取る際の補助となるマークである。
【００３２】
ステップＳ２０６において、ＣＰＵ１０１は、切り取りマークを印刷する余白があるか否かを判断する。切り取りマークを印刷する余白がない場合、ＣＰＵ１０１は、ステップＳ２０７に処理を進める。切り取りマークを印刷する余白がある場合、ＣＰＵ１０１は、ステップＳ２０８に処理を進める。なお、本ステップの処理は１枚の印画紙に対して１回の判断を行ってもよいし、配置される画像各々に対して、それぞれ判断を行ってもよい。また、ステップＳ２０４において１枚の印画紙に配置可能な数の画像を配置する際に、予め全ての配置について判断を行っておき、その結果を取得するようにしてもよい。
【００３３】
図４（ａ）に示す例では、サイズが１５０ｍｍ×１００ｍｍの印画紙に、印刷すべきサイズが５０ｍｍ×５０ｍｍの画像を配置している。このレイアウトでは、用紙端から画像端、画像間の余白は共に０ｍｍとなり、切り取りマークを印刷する余白がないと判断される。
【００３４】
図４（ｂ）に示す例では、サイズが１２０ｍｍ×９０ｍｍの印画紙に、印刷すべきサイズが５０×５０ｍｍの画像を配置している。このレイアウトでは、印画紙の長辺方向に２０ｍｍ、短辺方向に４０ｍｍの余白があるため、切り取りマークを印刷する余白があると判断される。
【００３５】
ステップＳ２０７において、ＣＰＵ１０１は、画像上に形成するオーバーコートの転写方法を領域ごとに異ならせて切り取りマークを形成するように、オーバーコートの印刷データ（階調データ）を生成する。このとき、色インクでは切り取りマークを形成しない。図５（ａ）、図５（ｂ）は、印画紙に形成される切り取りマークの例を示している。
【００３６】
図５（ａ）に示す例では、サイズが１５０ｍｍ×１００ｍｍの印画紙に、印刷すべきサイズが５０ｍｍ×５０ｍｍの画像を印刷し、オーバーコートの転写方法を領域ごとに異ならせることにより、切り取りマークを形成している。画像領域５０１は、オーバーコートの階調を特定パターン（例えば、市松模様）とし、画像領域５０１に隣接する画像領域５０２は、オーバーコートの階調を単一としている。
【００３７】
図５（ｂ）に示す例では、サイズが１５０ｍｍ×１００ｍｍの印画紙に、印刷すべきサイズが５０ｍｍ×５０ｍｍの画像を印刷し、オーバーコートの転写方法を領域ごとに異ならせることにより、切り取りマークを形成している。切り取り線領域５０３は、オーバーコートの階調を単一とし、それ以外の画像に対応する領域５０４は、オーバーコートの階調を特定パターンとしている。なお、オーバーコートの転写方法を領域ごとに異ならせることにより切り取りマークを形成する方法として、切り取り線領域５０３は、オーバーコートの非転写領域とし、それ以外の領域５０４は、オーバーコートの階調を単一としてもよい。また、切り取り線領域５０３は、オーバーコートの階調を特定パターンとし、それ以外の領域５０４は、オーバーコートの階調を別の特定パターンとしてもよい。さらには、切り取り線領域５０３は、オーバーコートの階調を特定パターンとし、それ以外の領域５０４は、オーバーコートの階調を単一としてもよい。オーバーコートの転写方法を領域ごとに異ならせることにより切り取りマークを形成する方法は、これらに限定されるものではなく、いかなる組み合わせであってもよい。
【００３８】
ステップＳ２０８において、ＣＰＵ１０１は、通常の印刷方法、つまり、色インクで切り取りマークを印刷するため、Ｓ２０４でレイアウトされた画像に切り取りマークを付加する。このとき、オーバーコートについては、切り取りマークを印刷しないため、通常の切り取りマークを含まないオーバーコートの印刷データを用いる。図５（ｃ）は、印画紙に印刷される切り取りマークの例を示している。
【００３９】
図５（ｃ）に示す例では、サイズが１２０ｍｍ×９０ｍｍの印画紙に、印刷すべきサイズが５０ｍｍ×５０ｍｍの画像を印刷し、通常の印刷方法で切り取りマーク５０５を印刷している。切り取りマーク５０５は、印刷すべき画像の四隅に配置されて印刷されるが、切り取りマークの形状や印刷位置はこれに限定されるものではなく、線状や破線、複数のドットであってもよい。ただし、印刷すべき画像の画像領域外に印刷される。
【００４０】
ステップＳ２０９において、ＣＰＵ１０１は、給紙部１０７に印画紙の給紙を指示し、印画部１０８に指示することにより、印画紙への印刷を実行させる（印刷制御）。色インクの印刷については、Ｓ２０７においてオーバーコートで切り取りマークを形成すると決定された場合は、Ｓ２０４でレイアウトされた画像を印刷データ（各色の階調データ）に変換して、印刷データに基づく印刷を指示する。また、Ｓ２０８において色インクで切り取りマークを形成すると決定された場合は、Ｓ２０８で切り取りマークが付加されたレイアウト画像を印刷データ（各色の階調データ）に変換して、印刷データに基づく印刷を指示する。色インクの後のオーバーコートの印刷については、切り取りマークＳ２０７においてオーバーコートで切り取りマークを形成すると決定された場合は、Ｓ２０７で生成した切り取りマークを含むオーバーコートの印刷データ（階調データ）に基づく印刷を指示する。また、Ｓ２０８において色インクで切り取りマークを形成すると決定された場合は、通常の切り取りマークを含まないオーバーコートの印刷データ（階調データ）に基づく印刷を指示する。
【００４１】
図４（ａ）に示す配置例では、印刷すべき画像の画像領域の周囲に余白がないため、切り取りマークを通常の方法で印刷することができない。これに対し、本実施形態における処理では、図５（ａ）、図５（ｂ）に示すように、オーバーコートの転写方法を領域ごとに異ならせることにより、視認性は低くなるが切り取りマークを形成することができる。つまり本実施形態では、印画紙に切り取りマークを印刷する余白がある場合と、切り取りマークを印刷する余白がない場合とで、切り取りマークの形成方法を変更することにより、どちらの場合でも切り取りマークを形成することが可能となる。
【００４２】
なお、上記の実施形態では、一体の印刷装置を例に説明したが、本発明はこれに限定されるものではない。給紙部１０７や印画部１０８を有する印刷装置と、画像の選択やレイアウトを決定する制御や、印刷装置の動作の制御を行う制御装置とを接続したシステムにより、本発明を実現してもよい。この場合、例えば、Ｓ２０９における印刷処理は印刷装置が行い、Ｓ２０１〜Ｓ２０８における画像の選択や配置の決定は、制御装置が行う。
【００４３】
＜第２の実施形態＞
上記の第１の実施形態では、印刷すべき画像の周囲に切り取りマークを印刷する余白がない場合には、オーバーコートの転写方法を領域ごとに異ならせることにより、切り取りマークを形成した。
【００４４】
ここで、本実施形態の印刷装置は、第１の実施形態と同様に熱転写式の印刷装置である。熱転写式の印刷装置は、印刷範囲と印刷対象外（いわゆるタブ領域）を分けるミシン目などの切断線を有する記録紙に印刷を行う。熱転写式の印刷装置は用紙を挟んで搬送して印刷を行うことから、印刷されないタブ領域が必要となる。本実施形態では、熱転写式のプリンタにおいて必然的に生じるタブ領域を利用し、このタブ領域に切り取りマークを形成する。
【００４５】
本実施形態の印刷装置のブロック構成は、図１に示した第１の実施形態の構成と同じであるため、説明を省略する。
【００４６】
図６は、本実施形態における、印刷装置１００の印刷処理の動作を示すフローチャートである。図６のステップＳ２０１〜Ｓ２０５の処理は、第１の実施形態を示す図２のステップＳ２０１〜Ｓ２０５の処理と同じであるため、説明を省略する。
【００４７】
ステップＳ２０６において、ＣＰＵ１０１は、印画紙に切り取りマークを印刷する余白があるか否かを判断する。切り取りマークを印刷する余白がない場合、ＣＰＵ１０１は、ステップＳ６０７に処理を進める。切り取りマークを印刷する余白がある場合、ＣＰＵ１０１は、ステップＳ６０８に処理を進める。
【００４８】
ステップＳ６０７において、ＣＰＵ１０１は、Ｓ２０４でレイアウトされた画像について、画像の上方向が印画紙の一方の短辺方向を向くように全ての画像を回転させる。ステップＳ６０９において、ＣＰＵ１０１は、Ｓ６０７で画像が回転されたレイアウト画像の印画紙のタブ領域に切り取りマークを付加する。
【００４９】
図７（ａ）は、印画紙のタブ領域７００に切り取りマークを印刷した例を示している。ステップＳ６０７で画像を回転させるのは、証明写真印刷の切り取りにおいて縦ラインの切り取りには目印がなく、印刷マークを利用して切り取りを行わせる必要があり、横方向は切り取りマークがなくても画像の区切りが判別可能で用紙の切り取りを行うことが容易なためである。切り取りマーク７０１は、タブ領域７００における、画像と画像の中央部分に印刷される。
【００５０】
図７（ｂ）は、印画紙に画像をレイアウトした際に余白が生じるパターンの例を示している。この場合は、画像を片方の長辺方向に寄せて、余白領域７０４を形成し、タブ領域７００に２か所の切り取りマーク７０２，７０３を印刷する。長辺方向に余白が発生する場合は、画像の上下方向を片方のタブ領域の方向に寄せて、余白領域７０５を形成するようにレイアウトすることで、画像の横方向の切り取りマークは不要になる。
【００５１】
ステップＳ６０８において、ＣＰＵ１０１は、通常の印刷方法で切り取りマークを印刷するため、Ｓ２０４でレイアウトされた画像に切り取りマークを付加する。図７（ｃ）は、印画紙に印刷される切り取りマークの例を示している。
【００５２】
図７（ｃ）に示す例では、サイズが１２０ｍｍ×９０ｍｍの印画紙に、印刷すべきサイズが５０ｍｍ×５０ｍｍの画像を印刷し、通常の印刷方法で切り取りマーク５０５を印刷している。切り取りマークは、印刷すべき画像の四隅に配置されて印刷されるが、切り取りマークの形状や印刷位置はこれに限定されるものではなく、線状や破線、複数のドットであってもよい。ただし、印刷すべき画像の画像領域外に印刷される。
【００５３】
ステップＳ６１０において、ＣＰＵ１０１は、給紙部１０７に印画紙の給紙を指示し、印画部１０８に印刷データに基づく印刷を指示することにより、印画紙への印刷を実行させる。ＣＰＵ１０１は、色インクについては、Ｓ２０４で生成されたレイアウト画像に基づいて印刷データ（各色の階調データを）生成し、生成した印刷データに基づいて印刷を指示する。ただし、Ｓ６０７、Ｓ６０８、Ｓ６０９で画像の回転、切り取りマークが付加された場合は、画像の回転や切り取りマークが付加されたレイアウト画像に基づいて印刷データを生成して、生成した印刷データに基づいて印刷を指示する。その後、ＣＰＵ１０１は、通常の切り取りマークを含まないオーバーコートの印刷データに基づいてオーバーコートの印刷を指示する。
【００５４】
図４（ａ）に示す配置例では、印刷すべき画像の画像領域の周囲に余白がないため、切り取りマークを通常の方法で印刷することができない。これに対し、本実施形態における処理では、図７（ａ）、図７（ｂ）に示すように、印画紙のタブ領域を活用することにより印刷マークを印刷することができる。
【００５５】
なお、印画紙に切り取りマークを印刷する余白がなかった場合に、第１の実施形態のように、オーバーコートの転写方式を領域ごとに異ならせることにより切り取りマークを形成するか、タブ領域に切り取りマークを印刷するかは次のように選択してもよい。たとえば印画紙にレイアウトされた証明写真のサイズパターンが複数ある場合はオーバーコートの転写方式を用い、同じサイズパターンのみの場合はタブ領域へ切り取りマークを印刷するというように、証明写真のサイズパターンで方式を選択してもよい。
【００５６】
また、ステップＳ６０７において、画像を回転する判定方法は画像の上下判別だけでなく、隣り合う画像の背景の色味が同じにならないようにする方法や、画像認識で顔検出を行うことにより画像の向きを判定し、上下を判別してレイアウトをする方法をとってもよい。
【００５７】
また、ステップＳ２０６で画像間に隙間がないと判断された場合、隣り合う画像の向きが同じにならないように配置することにより、画像の胸の位置で画像の切り取り位置を判定して切り取りマークを印刷しない方法をとってもよい。例えば、画像が長辺方向に３つ、短辺方向に２つ配置された場合、両短辺側の画像は一方の長辺方向を上向きに配置して真ん中の２画像は異なる長辺方向を上向きに配置する方法などが考えられる。
【００５８】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【００５９】
１００：印刷装置、１０１：ＣＰＵ、１０２：内部記憶装置、１０３：メモリ、１０４：記憶媒体、１０５：操作部、１０６：表示部、１０７；給紙部、１０８：印画部、１１０：内部バス
【図１】
2020032577.tif 000003
【図２】
2020032577.tif 000004
【図３】
2020032577.tif 000005
【図４】
2020032577.tif 000006
【図５】
2020032577.tif 000007
【図６】
2020032577.tif 000008
【図７】
2020032577.tif 000009